(57)【要約】【課題】通常の長尺な傘、及び、折畳み傘を、鞄やリュックサック等の外側に取り付けて保持し、傘を乾かしながら携帯できる傘ホルダーを提供すること。【解決手段】傘を内部に保持して携帯するために、少なくとも傘に接触する内部を撥水性部材で構成した傘ホルダーであって、シート状に形成した長尺なシート本体と、シート本体の正面で、シート本体に接続されて上下に開口部が形成されるように設けた被覆体と、開口部に設けた傘の保持手段と、を備えたことを特徴とする。被覆体は、シート本体両側で左右を縫製して形成され、保持手段は、重ねて折畳んだ一端が下方の開口部に縫製して設けた通気性ネットと、通気性ネットの重ね合わせ間に挿通した紐と、係止具とで構成される。【選択図】          図１
2004208735.tif 000002
【特許請求の範囲】
【請求項１】
傘を内部に保持して携帯するために、少なくとも傘に接触する内部を撥水性部材で構成した傘ホルダーであって、
該傘ホルダーは、シート状に形成した長尺なシート本体と、
前記シート本体の正面で、前記シート本体に接続されて上下に開口部が形成されるように設けた被覆体と、
前記開口部に設けた傘の保持手段と、を備えたことを特徴とする携帯用傘ホルダー。
【請求項２】
前記被覆体は、前記シート本体両側で左右を縫製して形成されていることを特徴とする請求項１に記載の携帯用傘ホルダー。
【請求項３】
前記保持手段は、重ねて折畳んだ一端を下方の前記開口部に縫製して設けた通気性ネットと、該通気性ネットの重ね合わせ間に挿通した紐と、該紐を所要個所において係止する係止具と、を備えたことを特徴とする請求項１または２に記載の携帯用傘ホルダー。
【請求項４】
前記通気性ネットは、傘から滴る雨水を吸収するように、吸水性樹脂で形成したことを特徴とする請求項３に記載の携帯用傘ホルダー。
【請求項５】
前記被覆体は、前記シート本体の上部が上方の前記開口部を覆うように取り付けられていることを特徴とする請求項１から４のいずれかに記載の携帯用傘ホルダー。
【請求項６】
前記シート本体の上部には、前記被覆体と係合するように、面ファスナーが設けられていることを特徴とする請求項１から５のいずれかに記載の携帯用傘ホルダー。
【請求項７】
前記シート本体及び／又は前記被覆体には、携帯品に装着できるように、装着部材が設けられていることを特徴とする請求項１から６のいずれかに記載の携帯用傘ホルダー。
【発明の詳細な説明】
【０００１】
【発明の属する技術分野】
本発明は、鞄、リュックサックなどの携帯品や、自転車等に、傘が取り付けられるようにした傘ホルダーに関する。
【０００２】
【従来の技術】
傘を持ち歩く際に、折畳み傘であった場合は、通常、鞄やリュックサック等に入れるが、雨で濡れた傘は、鞄やリュックサック等に収納できないので、折り畳んで手で持ち歩くことになる。このような場合、片手が濡れること、及び、傘を持つことによる不自由さがあり、このような不自由さを解消するものとして、携帯用傘ホルダーが開示されている。実用新案登録第３０５４６５３号公報は、携帯時に、折畳んだ傘を差し込むことができる筒状の傘ホルダーであって、装着帯体、及び、筒状の筒孔の大きさを調整し得るように設けた筒孔調整帯体を備えて構成され、さらに、傘ホルダーの下端部には、有底の袋体を設けたものである。しかし、筒孔調整帯体や、有底の袋体は、雨水をその袋内に閉じ込めるものであるので、不用意に、貯留させた雨水を一度に流出させてしまうことがあるなどの問題があった。
【０００３】
【発明が解決しようとする課題】
本発明は、通常の長尺な傘、及び、折畳み傘が、雨で濡れた状態であっても、鞄やリュックサック等の外側に取り付けられ、傘を乾かしながら携帯できる傘ホルダーを提供することである。
【０００４】
【課題を解決するための手段】
請求項１に記載の本発明の携帯用傘ホルダーは、傘を内部に保持して携帯するために、少なくとも傘に接触する内部を撥水性部材で構成した傘ホルダーであって、該傘ホルダーは、シート状に形成した長尺なシート本体と、前記シート本体の正面で、前記シート本体に接続されて上下に開口部が形成されるように設けた被覆体と、前記開口部に設けた傘の保持手段と、を備えたことを特徴とする。
請求項２に記載の本発明の携帯用傘ホルダーは、前記被覆体が、前記シート本体両側で左右を縫製して形成されていることを特徴とする。
請求項３に記載の本発明の携帯用傘ホルダーは、前記保持手段が、重ねて折畳んだ一端を下方の前記開口部に縫製して設けた通気性ネットと、該通気性ネットの重ね合わせ間に挿通した紐と、該紐を所要個所において係止する係止具と、を備えたことを特徴とする。
請求項４に記載の本発明の携帯用傘ホルダーは、前記通気性ネットが、傘から滴る雨水を吸収するように、吸水性樹脂で形成したことを特徴とする。
請求項５に記載の本発明の携帯用傘ホルダーは、前記被覆体が前記シート本体の上部が上方の前記開口部を覆うように取り付けられていることを特徴とする。
請求項６に記載の本発明の携帯用傘ホルダーは、前記シート本体の上部に、前記被覆体と係合するように、面ファスナーが設けられていることを特徴とする。
請求項７に記載の本発明の携帯用傘ホルダーは、前記シート本体及び／又は前記被覆体に、携帯品に装着できるように装着部材が設けられていることを特徴とする。
【０００５】
これにより、通常の長尺な傘、及び、折畳み傘が、雨で濡れた状態であっても、携帯品の外側に取り付けて携帯できる。また、傘の保持手段が、通気性ネットを含み構成されているので、傘の乾きが早いものとなる。
通気性ネットが、吸水性樹脂で形成されたものは、傘から滴る雨水を吸収するので、雨水を外に漏らさないものとなる。
【０００６】
【発明の実施の形態】
本発明の実施の形態を図面に基づいて説明する。
図１は、本発明の携帯用傘ホルダー１０を示した正面図である。この図に示すように、携帯用傘ホルダー１０は、シート状に形成した長尺なシート本体１と、その正面に設けられた被覆体２と、鞄やリュックサック等の携帯品に装着できるように設けられた装着部材３と、シート本体１と被覆体とで形成される開口部２ｂ（下方）に設けられた通気性ネット４と、を備えている。被覆体２は、シート本体１に、その左右が縫製されて形成されており、これにより、被覆体２は、シート本体１と共に筒状の空間を形成し、その空間内部に折畳み傘を収納して保持できるようにしたものである。また、通常の傘であった場合でも、傘を挿通して保持できるようにしたものである。
【０００７】
シート本体１に設けられる被覆体２は、シート本体１の上方部分が、シート本体１と被覆体２とで形成される開口部２ａ（上方）を覆った状態で留められるように、十分な長さを残して取り付けられる。即ち、シート本体１の上部および被覆体２には、互いに係合する面ファスナー５ａ、５ｂが設けられており、シート本体１が、被覆体２に留められるようになっている。したがって、開口部２ａから挿入されて収納された折畳み傘などは、シート本体１の上部で覆われて収納される。
【０００８】
シート本体１と被覆体とで形成される開口部２ｂ（下方）に設けられた通気性ネット４は、傘を保持させる保持手段としての機能を備えて形成されている。保持手段は、ポリエステル製のネット部材を二つ折にし、重ね合わせた端部を開口部２ｂ（下方）の周縁に縫製した通気性ネット４と、折り曲げられたネット部材の内側に挿通させて設けた紐４ａと、この紐４ａを挿通して設けた係止具４ｂと、を備えて構成され、これにより、紐４ａを引き寄せて適宜係止させて、通気性ネット４の下方の開口縁４ｃを縮めるものである。即ち、その開口縁４ｃを縮めた状態で維持できるので、挿通させた傘、もしくは収納した傘を保持することができる。また、通気性ネット４は、撥水性を備えた合成樹脂で網状に形成されるので、雨で濡れた傘を保持しても、雫を適度に落下させながら、保持された傘を直ぐに乾かすことができるものとなっている。このような通気性ネット４において、通気性ネット４を吸水性樹脂で形成してもよい。吸水性樹脂としては、澱粉とアクリル酸のグラフト重合体、ポリアクリル酸の架橋物、ビニルアルコールとアクリル酸の共重合体など適宜に利用できる。尚、通気性ネット４を少なくとも備えて構成される保持手段は、開口部２ａ（上方）の周縁に縫製して設けることもできる。
【０００９】
装着部材３は、リング６を挿通して帯状部材を二つ折にし、重ね合わせた端部を被覆体２の側壁に縫製して形成したものである。これにより、ハンガーベルト９がフック８を介して取り付けられる。図１には、装着部材３を一方の側壁に設けて示しているが、左右両側に設けること、もしくは、ハンガーベルト９を直接、被覆体２に縫製することなど適宜実施できるものである。これにより、ハンガーベルト９で鞄やリュックサック等の携帯品に装着できる。尚、ハンガーベルト９は、鞄やリュックサック等に装着するものであるが、手で吊下げて持つこともできるようにその長さが調節できるものとなっている。
【００１０】
図２は、携帯用傘ホルダー１０の背面を示した背面図である。また、図２の（ａ）は、装着部材７が閉じた状態を示し、（ｂ）は、装着部材７が開いた状態を示している。傘ホルダー１０の背面に取り付けられる装着部材７は、帯状部材の中央部が被覆体２に縫製されており、その上下部は自由端となっている。装着部材７の上部には、開いた状態で、面ファスナー７ａが表面に設けられ、下部の装着部材７には、その背面に面ファスナー７ｂが設けられている。携帯品に装着させる際には、それぞれの面ファスナー７ａ、７ｂを重ね合わせることにより、その内部に閉じた空間（図３参照）を形成し、携帯品の取っ手や、ベルトなどに装着させる。尚、装着部材７の上下部に設けられる面ファスナー７ａ、７ｂは、それぞれ表面、背面を逆にして設けられてもよい。
【００１１】
図３は、携帯用傘ホルダー１０の側面を示したものであり、折畳み傘が収納された状態である。図４は、通常の傘を携帯用傘ホルダー１０に挿通させて保持した状態を示したものである。特に、図３においては、通気性ネット４の下方の開口縁４ｃは縮められており、その状態で折畳み傘が保持されている。また、携帯用傘ホルダー１０は、少なくとも傘に接触する内部が撥水性を備えて構成されることがよく、ゴムや合成樹脂が好適に利用できる。
【００１２】
【発明の効果】
本発明は以上のように構成されているので、以下に記載されるような効果を奏する。
即ち、本発明の携帯用傘ホルダーは、通常の長尺な傘、及び、折畳み傘を携帯品に装着させて保持することができ、また、折畳み傘を保持して収納した状態で、開口部を覆い、留めることができる。
通気性ネットが縫製された携帯用傘ホルダーは、雨で濡れた傘から、雨水を適度に落下させながら傘を保持するので、保持された傘は直ぐに乾くものとなる。
通気性ネットを吸水性樹脂で形成することにより、傘から滴る雨水は、通気性ネットで吸収され、雨水を外に漏らさないものとなる。
【図面の簡単な説明】
【図１】携帯用傘ホルダーの正面図である。
【図２】携帯用傘ホルダーの背面図であり、（ａ）は、装着部材が閉じた状態を示し、（ｂ）は、装着部材が開いた状態を示したものである。
【図３】折畳み傘が収納されていることを示した携帯用傘ホルダーの側面図である。
【図４】通常の傘を保持させた状態を示した携帯用傘ホルダーの側面図である。
【符号の説明】
１  シート本体
２  被覆体
２ａ  開口部（上部）
２ｂ  開口部（下部）
３、７  装着部材
４  通気性ネット
４ａ  紐
４ｂ  係止具
４ｃ  開口縁
５ａ、５ｂ  面ファスナー
６  リング
７ａ、７ｂ  メンファスナー
８  フック
９  ハンガーベルト
１０  携帯用傘ホルダー
Ａ  傘
【図１】
2004208735.tif 000003
【図２】
2004208735.tif 000004
【図３】
2004208735.tif 000005
【図４】
2004208735.tif 000006